(57)【要約】【課題】位相制御された交流電圧が急激に低下しても回路部品の損傷を防止できる光源駆動装置を提供する。【解決手段】光源駆動装置１は、整流部３と、コンバータ部４と、制御回路部５とを有している。整流部３は、位相制御された交流電圧Ｖｉｎを整流して整流電圧Ｖａを出力する。制御回路部５は、予め設定された明るさを徐々に下げる演出動作を行うための第１の制御信号Ｖｃを生成する。コンバータ部４は、第１の制御信号Ｖｃに基づいて整流電圧Ｖａを出力電圧Ｖｏに変換して出力し、外部の光源２０を定電流駆動する。検出電圧Ｖｄの単位時間当たりの低下の度合いが所定の大きさを超えたとき、制御回路部５からコンバータ部４に予め設定された保護動作を実行させるための第２の制御信号が出力され、コンバータ部４は、第２の制御信号に基づいて、出力電圧Ｖｏを出力する。【選択図】図１
2015011822.tif 000002
【特許請求の範囲】
【請求項１】
位相制御された交流電圧を整流し、第１の電圧として出力する整流部と、
予め設定された明るさを徐々に下げる演出動作を行うための第１の制御信号を生成して出力する制御部と、
前記第１の制御信号に基づいて、前記整流部から出力された第１の電圧を第２の電圧に変換すると共に、前記第２の電圧に基づいて、外部の光源を定電流駆動するコンバータ部とを備え、
前記制御部は、前記第１の電圧又は前記第１の電圧に基づく電圧の時間の経過に伴う低下の度合いが所定の大きさを超えたとき、前記第１の制御信号に代えて、予め設定された保護動作を実行させるための第２の制御信号を生成して出力し、
前記コンバータ部は、前記制御部から前記第２の制御信号が出力されたとき、前記第２の制御信号に基づいて、前記第１の電圧を前記第２の電圧に変換する、光源駆動装置。
【請求項２】
前記第２の制御信号は、前記第１の電圧又は前記第１の電圧に基づく電圧との差が、予め設定された閾値以内となるように出力される、請求項１に記載の光源駆動装置。
【請求項３】
前記制御部は、
前記演出動作に関する第１の制御パターンと、前記保護動作に関する第２の制御パターンとを記憶するパターン記憶部と、
前記第１の電圧又は前記第１の電圧に基づく電圧が入力され、その入力された電圧に基づいて、前記第１の制御信号又は前記第２の制御信号を前記コンバータ部に出力する信号変換部とを備え、
前記信号変換部は、
前記パターン記憶部に記憶されている前記第１の制御パターンに基づいて前記第１の制御信号を生成し、
前記パターン記憶部に記憶されている前記第２の制御パターンに基づいて前記第２の制御信号を生成する、請求項１又は２に記載の光源駆動装置。
【請求項４】
前記パターン記憶部は、前記保護動作に関して互いに異なる複数の第２の制御パターンを記憶しており、
前記信号変換部は、前記パターン記憶部に記憶されている複数の第２の制御パターンのうち任意のものを選択し、選択した第２の制御パターンに基づいて、前記第２の制御信号を生成する、請求項３に記載の光源駆動装置。
【請求項５】
請求項１から４のいずれか１項に記載の光源駆動装置と、
前記光源駆動装置のコンバータ部から出力される前記第２の電圧により定電流駆動される光源とを備える、照明装置。
【発明の詳細な説明】
【技術分野】
【０００１】
この発明は、光源駆動装置及び照明装置に関し、特に、光源を調光して照明の演出動作を行うことができる光源駆動装置及び照明装置に関する。
【背景技術】
【０００２】
ＬＥＤ（発光ダイオード）などを光源として用いた照明装置などに用いられ、光源を調光して駆動することにより照明の演出を行うことができる光源駆動装置が知られている。
【０００３】
下記特許文献１には、光源を任意の発光色に変化させて照明の演出を行えるＬＥＤ点灯装置の構造が開示されている。このＬＥＤ点灯装置では、白色の発光色の光源と有色の発光色の光源のそれぞれの点灯を制御し、全光時から調光時にかけて明るさ及び発光色が連続的に変化させることで、照明の演出が行われる。
【先行技術文献】
【特許文献】
【０００４】
【特許文献１】特開２００４−１１１１０４号公報
【発明の概要】
【発明が解決しようとする課題】
【０００５】
ところで、上記の特許文献１に記載されているような装置では、次のような問題がある。
【０００６】
例えば、全光時の明るさの状態から明るさを緩やかに下げる演出動作を実施中に、ユーザによって、演出動作による出力電圧の減少度合いよりも急激に明るさが絞られるように位相制御式調光器が操作されてしまう場合がある。このような場合において、装置が過電流保護機能（ＯＣＰ機能）を有しないものであったり、過電流保護機能が動作しない状態にあったりすると、問題が生じる可能性がある。すなわち、上述の場合には、位相制御された交流電圧が低下するにもかかわらず、調光動作の影響で、負荷が重い状態（負荷電力が高い状態）が維持される。負荷電力がそのまま維持されている一方で出力電圧が低下すると、負荷電流が上昇し、装置を構成するスイッチング素子やヒューズなどの回路部品が損傷する可能性がある。
【０００７】
この発明はそのような問題点を解決するためになされたものであり、位相制御された交流電圧が急激に低下しても回路部品の損傷を防止できる光源駆動装置及び照明装置を提供することを目的としている。
【課題を解決するための手段】
【０００８】
上記目的を達成するためこの発明のある局面に従うと、光源駆動装置は、位相制御された交流電圧を整流し、第１の電圧として出力する整流部と、予め設定された明るさを徐々に下げる演出動作を行うための第１の制御信号を生成して出力する制御部と、第１の制御信号に基づいて、整流部から出力された第１の電圧を第２の電圧に変換すると共に、第２の電圧に基づいて、外部の光源を定電流駆動するコンバータ部とを備え、制御部は、第１の電圧又は第１の電圧に基づく電圧の時間の経過に伴う低下の度合いが所定の大きさを超えたとき、第１の制御信号に代えて、予め設定された保護動作を実行させるための第２の制御信号を生成して出力し、コンバータ部は、制御部から第２の制御信号が出力されたとき、第２の制御信号に基づいて、第１の電圧を第２の電圧に変換する。
【０００９】
好ましくは、第２の制御信号は、第１の電圧又は第１の電圧に基づく電圧との差が、予め設定された閾値以内となるように出力される。
【００１０】
好ましくは、制御部は、演出動作に関する第１の制御パターンと、保護動作に関する第２の制御パターンとを記憶するパターン記憶部と、第１の電圧又は第１の電圧に基づく電圧が入力され、その入力された電圧に基づいて、第１の制御信号又は第２の制御信号をコンバータ部に出力する信号変換部とを備え、信号変換部は、パターン記憶部に記憶されている第１の制御パターンに基づいて第１の制御信号を生成し、パターン記憶部に記憶されている第２の制御パターンに基づいて第２の制御信号を生成する。
【００１１】
好ましくは、パターン記憶部は、保護動作に関して互いに異なる複数の第２の制御パターンを記憶しており、信号変換部は、パターン記憶部に記憶されている複数の第２の制御パターンのうち任意のものを選択し、選択した第２の制御パターンに基づいて、第２の制御信号を生成する。
【００１２】
この発明の他の局面に従うと、照明装置は、上述に記載の光源駆動装置と、光源駆動装置のコンバータ部から出力される第２の電圧により定電流駆動される光源とを備える。
【発明の効果】
【００１３】
これらの発明に従うと、コンバータ部に入力される電圧の時間の経過に伴う低下の度合いが大きくなったとき、予め設定された保護動作を実行させるための第２の制御信号がコンバータ部に出力される。したがって、位相制御された交流電圧が急激に低下しても回路部品の損傷を防止できる光源駆動装置及び照明装置を提供することができる。
【図面の簡単な説明】
【００１４】
【図１】本発明の第１の実施の形態におけるＬＥＤ駆動装置を用いた照明装置の回路構成を示す図である。
【図２】本実施の形態における制御回路部の制御動作を説明するフローチャートである。
【図３】本実施の形態における制御電圧の出力例について説明する図である。
【図４】第２の実施の形態における制御回路部の制御動作を説明するフローチャートである。
【図５】第２の実施の形態における制御電圧の出力例について説明する図である。
【図６】第３の実施の形態における制御回路部の制御動作を説明するフローチャートである。
【図７】第３の実施の形態における制御電圧の出力例について説明する図である。
【発明を実施するための形態】
【００１５】
以下、本発明の実施の形態におけるＬＥＤ駆動装置（光源駆動装置の一例）を用いた照明装置について説明する。
【００１６】
［第１の実施の形態］
【００１７】
まず、本発明の第１の実施の形態に係るＬＥＤ駆動装置を用いた照明装置の構成について、大まかに説明する。
【００１８】
［照明装置の概略構成の説明］
【００１９】
図１は、本発明の第１の実施の形態におけるＬＥＤ駆動装置を用いた照明装置の回路構成を示す図である。
【００２０】
図１に示されるように、照明装置１００は、例えば商用電源である交流電源Ｖａｃと、位相調光器２と、ＬＥＤ駆動装置１と、ＬＥＤモジュール（光源の一例）２０とを備える。ＬＥＤモジュール２０は、ＬＥＤ駆動装置１から出力電圧（第２の電圧の一例）Ｖｏが供給されて、定電流駆動される。
【００２１】
位相調光器２は、交流電源Ｖａｃに接続されている。位相調光器２は、交流電源Ｖａｃからの交流電圧Ｖｉｎをもとに、位相制御された交流電圧Ｖｉｎを出力する。すなわち、位相調光器２は、交流電圧Ｖｉｎの半周期における所定期間だけ交流電圧Ｖｉｎを導通させて交流電圧Ｖｉｎを出力する。位相調光器２は例えばトライアックを備えるトライアック調光器であるが、位相調光器２の具体的な構成は特にこれに限定されない。
【００２２】
ＬＥＤ駆動装置１は、整流部３と、コンバータ部４と、制御回路部（制御部の一例）５とを含んでいる。
【００２３】
整流部３は、例えば全波整流回路である。整流部３は、交流電圧Ｖｉｎを全波整流し、整流電圧（第１の電圧の一例）Ｖａを出力する。整流部３は、整流平滑電圧を出力するようにしてもよい。なお、整流部３は、半波整流回路であってもよい。
【００２４】
コンバータ部４には、整流電圧Ｖａが入力される。コンバータ部４は、整流部３から入力される整流電圧Ｖａを変換して出力電圧ＶｏをＬＥＤモジュール２０に出力する。また、コンバータ部４は、整流電圧Ｖａに対応する検出電圧（第１の電圧に基づく電圧の一例）Ｖｄを制御回路部５に出力する。
【００２５】
制御回路部５には、コンバータ部４から、検出電圧Ｖｄが入力される。制御回路部５は、検出電圧Ｖｄをもとに、制御電圧Ｖｃをコンバータ部４に出力することで、コンバータ部４から出力される出力電圧Ｖｏの大きさを制御する。換言すると、制御電圧Ｖｃは、出力電圧Ｖｏの大きさを制御するための制御信号である。
【００２６】
本実施の形態において、コンバータ部４は、例えば、第１のコンバータ６と、第２のコンバータ７とを有している。
【００２７】
第１のコンバータ６には、整流部３から出力される整流電圧Ｖａが入力される。第１のコンバータ６は、整流電圧Ｖａを、変換電圧Ｖｂに変換する。また、第１のコンバータ６は、整流電圧Ｖａを、それに応じた直流電圧である検出電圧Ｖｄに変換し、制御回路部５に出力する。検出電圧Ｖｄは、例えば、整流電圧Ｖａに比例する直流電圧である。
【００２８】
第２のコンバータ７には、第１のコンバータ６から出力される変換電圧Ｖｂが入力される。第２のコンバータ７は、変換電圧Ｖｂに基づいて出力電圧ＶｏをＬＥＤモジュール２０に出力し、ＬＥＤモジュール２０を定電流駆動する。
【００２９】
第２のコンバータ７には、制御回路部５から出力される制御電圧Ｖｃが入力される。第２のコンバータ７は、制御電圧Ｖｃに基づいて、変換電圧Ｖｂを出力電圧Ｖｏに変換する。
【００３０】
本実施の形態において、制御回路部５は、信号変換部８と、パターン記憶部９とを有している。
【００３１】
信号変換部８には、第１のコンバータ６から出力される検出電圧Ｖｄが入力される。信号変換部８は、検出電圧Ｖｄに基づいて、制御電圧Ｖｃを出力する。
【００３２】
パターン記憶部９は、照明装置１００の演出動作に関する制御パターン（第１の制御パターン）と、保護動作に関する制御パターン（第２の制御パターン）とを記憶する。
【００３３】
制御回路部５は、信号変換部８がパターン記憶部９に記憶されている制御パターンに基づいて制御電圧Ｖｃを出力することで、第２のコンバータ７から出力される出力電圧Ｖｏの大きさを制御する。信号変換部８は、制御電圧Ｖｃとして、演出動作に関する制御パターンに基づく第１の制御電圧Ｖｃ１や、保護動作に関する制御パターンに基づく第２の制御電圧Ｖｃ２を生成し、出力する。
【００３４】
［制御回路部５の動作の説明］
【００３５】
本実施の形態において、制御回路部５は、照明装置１００で予め設定された明るさを徐々に下げる演出動作（以下、単に演出動作ということがある）を行うとき、パターン記憶部９に記憶されている演出動作に関する制御パターンに基づいて、第１の制御電圧Ｖｃ１を出力して、コンバータ部４を制御する。この場合において、整流電圧Ｖａに対応する検出電圧Ｖｄの電圧値の時間の経過に伴う低下の度合いが所定の大きさを超えたときに、制御回路部５は、第１の制御電圧Ｖｃ１に代えて、第２の制御電圧Ｖｃ２を生成して出力する。より具体的には、制御回路部５は、演出動作が行われている場合において、検出電圧Ｖｄが時間の経過に伴って低下する度合いが制御電圧Ｖｃの低下の度合いと比べて所定の大きさより大きくなったとき、第２の制御電圧Ｖｃ２を生成して出力する。換言すると、制御回路部５は、演出動作が行われている場合において、整流電圧Ｖａが時間の経過に伴って低下する度合いが、出力電圧Ｖｏが低下する度合いと比べて所定の大きさより大きくなったとき、第２の制御電圧Ｖｃ２を生成して出力する。
【００３６】
第２の制御電圧Ｖｃ２は、予め設定された保護動作を行うための信号であり、例えば検出電圧Ｖｄに基づいて出力される。第２の制御電圧Ｖｃ２が出力されると、コンバータ部４は、第２の制御電圧Ｖｃ２に基づいて、変換電圧Ｖｂを出力電圧Ｖｏに変換する。
【００３７】
図２は、本実施の形態における制御回路部５の制御動作を説明するフローチャートである。
【００３８】
本実施の形態において、制御回路部５は、次に示されるようにして制御電圧Ｖｃを出力することで、コンバータ部４の動作を制御する。なお、図２に示される制御動作は、予め設定されたインターバルで、定期的に実行されるようにすればよい。
【００３９】
ステップＳ１において、制御回路部５は、保護用フラグがセットされているかどうかを判定する。保護用フラグがセットされていない場合（「ＮＯ」の場合）、ステップＳ２の処理を行う。保護用フラグがセットされている場合（「ＹＥＳ」の場合）、ステップＳ６の処理を行う。
【００４０】
ステップＳ２において、制御回路部５は、制御電圧Ｖｃの値から検出電圧Ｖｄの値を減じた値が、所定の閾値以上か否かを判定する。所定の閾値未満の場合（「ＮＯ」の場合）、ステップＳ３の処理が行われる。他方、所定の閾値以上の場合（「ＹＥＳ」である場合）、ステップＳ４の処理が行われる。
【００４１】
ステップＳ３において、制御回路部５は、通常の演出動作を実行する。すなわち、信号変換部８が、パターン記憶部９に記憶されている演出動作に関する制御パターンに基づいて、演出動作用の第１の制御電圧Ｖｃ１を出力する。その後、一連の処理を終了する。
【００４２】
他方、ステップＳ４において、制御回路部５は、保護用フラグをセットする。保護用フラグがセットされると、ステップＳ５の処理が行われる。
【００４３】
ステップＳ５において、制御回路部５は、パターン記憶部９に記憶されている保護動作に関する制御パターンに基づいて、保護動作を実行する。すなわち、制御回路部５は、保護動作用の第２の制御電圧Ｖｃ２を出力し、その後、処理を終了する。
【００４４】
ここで、ステップＳ１で保護用フラグがセットされているとき、ステップＳ６において、制御回路部５は、検出電圧Ｖｄが、前回検出された検出電圧Ｖｄから低下しているか否か（検出値が低い値であるか否か）を判定する。低下している場合（「ＹＥＳ」の場合）、ステップＳ４の処理が行われる。すなわち、保護用フラグのセットと、保護動作の実行とが行われる。他方、低下していない場合（「ＮＯ」の場合）、ステップＳ７の処理が行われる。
【００４５】
ステップＳ７において、制御回路部５は、保護用フラグをクリアし、処理を終了する。
【００４６】
本実施の形態において、検出電圧Ｖｄに応じた制御電圧Ｖｃの出力は、次のようにして行われる。
【００４７】
図３は、本実施の形態における制御電圧Ｖｃの出力例について説明する図である。
【００４８】
図３に示されるように、本実施の形態では、図２に示すフローチャートに基づいて、次の制御が行われる。なお、図３において、縦軸は制御電圧Ｖｃの電圧を示し、横軸は時間の経過を示す。また、一点鎖線は、演出動作の全時刻（ｔ０〜ｔｅ）において、第１の制御電圧Ｖｃ１によって演出動作が実行された場合の制御電圧Ｖｃの推移を参照として示す線である。
【００４９】
まず、時刻ｔ０で、演出動作が開始される。このとき、制御電圧Ｖｃは、例えばＶ７である。
【００５０】
時刻ｔ０から時間が経過した時刻ｔ１の直前までは、演出動作用の第１の制御電圧Ｖｃ１が制御回路部５から出力される。これにより、通常の演出動作が実行される。第１の制御電圧Ｖｃ１は、時刻ｔ０から所定の時刻ｔｅまでの間に、制御電圧がＶ７からＶ１まで徐々に低下するようにして出力される。
【００５１】
時刻ｔ１において、第１の制御電圧Ｖｃ１は、Ｖ７より小さいＶ６となる。また、このとき、検出電圧Ｖｄは、Ｖ６より小さいＶ４となっている。このとき、検出電圧Ｖｄと第１の制御電圧Ｖｃ１との差（第１の制御電圧Ｖｃ１の値から検出電圧Ｖｄの値を減じた値）が、所定の閾値Ｖｓに達する。すなわち、（Ｖ６−Ｖ４）＝（閾値Ｖｓ）となる。そうすると、制御電圧Ｖｃは、第１の制御電圧Ｖｃ１から保護動作用の第２の制御電圧Ｖｃ２に切り替えられる。これにより、通常の演出動作が中止され、保護動作が実行される。本実施の形態においては、第２の制御電圧Ｖｃ２として、検出電圧Ｖｄと同じ値が出力されるように構成されている。
【００５２】
時刻ｔ１から時間が経過した時刻ｔ２には、検出電圧Ｖｄは低下し、位相制御における最小の電圧値Ｖ１となる。時刻ｔ１から時刻ｔ２まで、検出電圧Ｖｄと第２の制御電圧Ｖｃ２とは同じとなり、保護動作が継続される。
【００５３】
時刻ｔ２から時刻ｔｅまでは、制御電圧Ｖｃは位相制御における最小の電圧値Ｖ１に達しているため、演出動作も保護動作も実行されず、制御電圧Ｖｃは最小の電圧Ｖ１が継続して出力される。
【００５４】
このように、図３で示される例においては、制御電圧Ｖｃとしては、時刻ｔ０〜ｔ１まで第１の制御電圧Ｖｃ１が、時刻ｔ１から時刻ｔ２まで第２の制御電圧Ｖｃ２が、時刻ｔ２以降はＶ１が、それぞれ出力される。
【００５５】
以上説明したように、本実施の形態においては、次のような効果が得られる。
【００５６】
本実施の形態では、コンバータ部４に入力される整流電圧Ｖａの時間の経過に伴う低下の度合いが大きくなったとき、制御回路部５から、予め設定された保護動作を実行させるための第２の制御電圧Ｖｃ２がコンバータ部４に出力される。検出電圧Ｖｄと制御電圧Ｖｃとの差が制御回路部５により監視され、その監視結果に応じて演出動作と保護動作を切り替えることを自動的に行うことができる。したがって、明るさを緩やかに下げる演出動作中に、操作者の操作によって位相制御された交流電圧Ｖｉｎが急激に低下しても、演出効果による現在の負荷とトライアックなどの状態に合う負荷の差が所定値以上となることがなく、ＬＥＤ駆動装置１の回路には過電流が流れない。そのため、そのような場合であっても、ヒューズやスイッチ素子など、ＬＥＤ駆動装置１を構成する回路部品の損傷を防止できる。
【００５７】
検出電圧Ｖｄと制御電圧Ｖｃとの差に関する閾値は、任意に設定することができる。したがって、所望の保護動作が行われるように、容易に設定することができる。
【００５８】
ＬＥＤ駆動装置１が、過電流保護機能を有さないものであったり、過電流保護機能を有していても誤動作などでそれが機能しなくなっていたりしても、確実に、回路部品の損傷を防止できる。
【００５９】
検出抵抗を用いた過電流保護機能に代えて、本発明の構成で代替することにより、検出抵抗による電力損失がなくなり、効率が向上する。
【００６０】
［第２の実施の形態］
【００６１】
第２の実施の形態におけるＬＥＤ駆動装置の基本的な構成は、第１の実施の形態におけるそれと同じであるためここでの説明を繰り返さない。第２の実施の形態においては、制御回路部５による制御内容が、第１の実施の形態と異なる。
【００６２】
本実施の形態においては、検出電圧Ｖｄと制御電圧Ｖｃとの差が所定の閾値Ｖｓ以上となったとき、制御電圧Ｖｃとして保護動作用の第２の制御電圧Ｖｃ２が出力される。そして、その後、検出電圧Ｖｄと制御電圧Ｖｃとの差が所定の閾値Ｖｓ未満となったとき、演出動作を実行するための第１の制御電圧Ｖｃ１が出力される。
【００６３】
図４は、第２の実施の形態における制御回路部５の制御動作を説明するフローチャートである。
【００６４】
図４に示されるように、処理が開始されると、ステップＳ１１において、制御回路部５は、制御電圧Ｖｃ１の値から検出電圧Ｖｄの値を減じた値が所定の閾値以上か否かを判定する。所定の閾値未満の場合（「ＮＯ」の場合）、ステップＳ１２の処理が行われる。他方、所定の閾値以上の場合（「ＹＥＳ」である場合）、ステップＳ１３の処理が行われる。
【００６５】
ステップＳ１２において、制御回路部５は、通常の演出動作を実行する。すなわち、信号変換部８が、パターン記憶部９に記憶されている演出動作に関する制御パターンに基づいて、演出動作用の第１の制御電圧Ｖｃ１を出力する。その後、一連の処理を終了する。
【００６６】
他方、ステップＳ１３において、制御回路部５は、検出電圧Ｖｄを第２の制御電圧Ｖｃ２として出力する。その後、一連の処理を終了する。
【００６７】
このような一連の処理は、定期的に実行されるようにすればよい。
【００６８】
図５は、第２の実施の形態における制御電圧Ｖｃの出力例について説明する図である。
【００６９】
図５に示されるように、本実施の形態では、図４に示すフローチャートに基づいて、次の制御が行われる。なお、図５においては、図３と同様に、縦軸は制御電圧Ｖｃの電圧を示し、横軸は時間の経過を示す。また、一点鎖線は、演出動作の全時刻（ｔ０〜ｔｅ）において、第１の制御電圧Ｖｃ１によって演出動作が実行された場合の制御電圧Ｖｃの推移を参照として示す線である。
【００７０】
まず、時刻ｔ０で、演出動作が開始される。このとき、制御電圧Ｖｃは、例えばＶ７である。
【００７１】
時刻ｔ０から時間が経過した時刻ｔ１の直前までは、演出動作用の第１の制御電圧Ｖｃ１が制御回路部５から出力される。これにより、通常の演出動作が実行される。第１の制御電圧Ｖｃ１は、時刻ｔ０から所定の時刻ｔｅまでの間に、制御電圧がＶ７からＶ１まで徐々に低下するようにして出力される。
【００７２】
時刻ｔ１において、第１の制御電圧Ｖｃ１は、Ｖ７より小さいＶ６となる。また、このとき、検出電圧Ｖｄは、Ｖ６より小さいＶ４となっている。このとき、検出電圧Ｖｄと第１の制御電圧Ｖｃ１との差（検出電圧Ｖｄの値を第１の制御電圧Ｖｃ１の値から減じた値）が、所定の閾値Ｖｓに達する。すなわち、（Ｖ６−Ｖ４）＝（閾値Ｖｓ）となる。そうすると、通常の演出動作が中止され、制御電圧Ｖｃは、第１の制御電圧Ｖｃ１から保護動作用の第２の制御電圧Ｖｃ２に切り替えられる。これにより、保護動作が実行される。なお、第２の制御電圧Ｖｃ２としては、検出電圧Ｖｄと同じ値が設定されるように構成されている。
【００７３】
時刻ｔ１から時間が経過した時刻ｔ２直前までは、検出電圧Ｖｄと第２の制御電圧Ｖｃ２との差が所定の閾値Ｖｓ未満となる。そのため、制御電圧Ｖｃは、第２の制御電圧Ｖｃ２から演出動作用の第１の制御電圧Ｖｃ１に切り替えられ、通常の演出動作が実行される。
【００７４】
時刻ｔ２になると、検出電圧Ｖｄと第１の制御電圧Ｖｃ１との差が、再び、所定の閾値Ｖｓに達する。そのため、制御電圧Ｖｃは、保護用の第２の制御電圧Ｖｃ２に切り替えられ、演出動作が中止されると共に保護動作が実行される。このときも、第２の制御電圧Ｖｃ２は、検出電圧Ｖｄと同じになるようにすればよい。
【００７５】
時刻ｔ２から時刻ｔｅまでは、制御電圧Ｖｃは位相制御における最小の電圧値Ｖ１に達しているため、演出動作も保護動作も実行されず、制御電圧Ｖｃは最小の電圧Ｖ１が継続して出力される。
【００７６】
このように、図５で示される例においては、制御電圧Ｖｃとしては、時刻ｔ０〜ｔ１まで及び時刻ｔ１から時刻ｔ２までは第１の制御電圧Ｖｃ１が、時刻ｔ１及び時刻ｔ２においては第２の制御電圧Ｖｃ２が、時刻ｔ２以降はＶ１が、それぞれ出力される。
【００７７】
第２の実施の形態においては、このように制御電圧Ｖｃが出力されるので、第１の実施の形態と同様の効果が得られる。また、いったん第２の制御電圧Ｖｃ２を出力して保護動作が行われた場合であっても、所定の閾値の差が生じていないときには、再び第１の制御電圧Ｖｃ１を利用して演出動作を継続して行うことができる。
【００７８】
［第３の実施の形態］
【００７９】
第３の実施の形態におけるＬＥＤ駆動装置の基本的な構成は、第１の実施の形態におけるそれと同じであるためここでの説明を繰り返さない。第３の実施の形態においては、制御回路部５による制御内容が、第３の実施の形態と異なる。
【００８０】
第３の実施形態では、演出動作中に、検出電圧Ｖｄと制御電圧Ｖｃとの差が所定の閾値Ｖｓ以上となったとき、保護動作用の第２の制御電圧Ｖｃ４が出力される。第２の制御電圧Ｖｃ４は、検出電圧Ｖｄに所定の閾値Ｖｓ分の電圧を加えた電圧である。その後、検出電圧Ｖｄと制御電圧Ｖｃとの差が所定の閾値Ｖｓ未満となったときは、再び、演出動作を行うための第１の制御電圧Ｖｃ１が出力される。
【００８１】
図６は、第３の実施の形態における制御回路部５の制御動作を説明するフローチャートである。
【００８２】
図６において、ステップＳ２１及びステップＳ２２の処理は、図４のステップＳ１１及びステップＳ１２の処理と同様にして行われる。すなわち、制御回路部５は、検出電圧Ｖｄと制御電圧Ｖｃとの差が所定の閾値Ｖｓ以上であるか否かを判定し、閾値Ｖｓ未満であれば（「ＮＯ」）、通常の演出動作を実行し、一連の処理を終了する。
【００８３】
ここで、検出電圧Ｖｄと制御電圧Ｖｃとの差が所定の閾値Ｖｓ以上であれば（「ＹＥＳ」）、ステップＳ２３において、制御回路部５は、第２の制御電圧Ｖｃ４を出力する。ここで、第２の制御電圧Ｖｃ４は、検出電圧Ｖｄと所定の閾値Ｖｓとの和である。その後、一連の処理を終了する。
【００８４】
このような一連の処理は、定期的に実行されるようにすればよい。
【００８５】
図７は、第３の実施の形態における制御電圧Ｖｃの出力例について説明する図である。
【００８６】
図７に示されるように、第３の実施の形態では、図６に示すフローチャートに基づいて、次の制御が行われる。なお、図５においては、図３と同様に、縦軸は制御電圧Ｖｃの電圧を示し、横軸は時間の経過を示す。また、一点鎖線は、演出動作の全時刻（ｔ０〜ｔｅ）において、第１の制御電圧Ｖｃ１によって演出動作が実行された場合の制御電圧Ｖｃの推移を参照として示す線である。
【００８７】
まず、時刻ｔ０で、演出動作が開始される。このとき、制御電圧Ｖｃは、例えばＶ７である。
【００８８】
時刻ｔ０から時間が経過した時刻ｔ１の直前までは、演出動作用の第１の制御電圧Ｖｃ１が制御回路部５から出力される。これにより、通常の演出動作が実行される。第１の制御電圧Ｖｃ１は、時刻ｔ０から所定の時刻ｔｅまでの間に、制御電圧がＶ７からＶ１まで徐々に低下するようにして出力される。
【００８９】
時刻ｔ１において、第１の制御電圧Ｖｃ１は、Ｖ７より小さいＶ６となる。また、このとき、検出電圧Ｖｄは、Ｖ６より小さいＶ４となっている。このとき、検出電圧Ｖｄと第１の制御電圧Ｖｃ１との差（制御電圧Ｖｃ１の値から検出電圧Ｖｄの値を減じた値）が、所定の閾値Ｖｓに達する。すなわち、（Ｖ６−Ｖ４）＝（閾値Ｖｓ）となる。そうすると、通常の演出動作が中止され、制御電圧Ｖｃは、第１の制御電圧Ｖｃ１から保護動作用の第２の制御電圧Ｖｃ４に切り替えられる。これにより、保護動作が実行される。
【００９０】
ここで、第３の実施の形態において、第２の制御電圧Ｖｃ４としては、検出電圧Ｖｄに所定の閾値Ｖｓを加えた値と同じ値が設定されるように構成されている。
【００９１】
時刻ｔ１から時間が経過した時刻ｔ２までは、検出電圧Ｖｄと第２の制御電圧Ｖｃ４との差は所定の閾値Ｖｓとなったまま維持される。換言すると、制御電圧Ｖｃは、第２の制御電圧Ｖｃ４が継続して出力される。
【００９２】
時刻ｔ２を過ぎると、検出電圧Ｖｄと第１の制御電圧Ｖｃ１との差が、所定の閾値Ｖｓ未満となる。そのため、制御電圧Ｖｃは、演出動作用の第１の制御電圧Ｖｃ１に切り替えられ、それ以後、演出動作が実行される。
【００９３】
時刻ｔ３になると、制御電圧Ｖｃが、位相制御における最小の電圧値Ｖ１に達する。時刻ｔ３から時刻ｔｅまでは、演出動作も保護動作も実行されず、制御電圧Ｖｃは最小の電圧Ｖ１のまま継続して出力される。
【００９４】
このように、図７で示される例においては、制御電圧Ｖｃとしては、時刻ｔ０〜ｔ１まで及び時刻ｔ２から時刻ｔ３までは第１の制御電圧Ｖｃ１が、時刻ｔ１から時刻ｔ２までは第２の制御電圧Ｖｃ４が、時刻ｔ３以降はＶ１が、それぞれ出力される。
【００９５】
第３の実施の形態においては、このように制御電圧Ｖｃが出力されるので、第１の実施の形態と同様の効果が得られる。また、いったん第２の制御電圧Ｖｃ４を出力して保護動作が行われた場合であっても、所定の閾値の差が生じていないときには、再び第１の制御電圧Ｖｃ１を利用して演出動作を継続して行うことができる。さらに、第３の実施の形態では、制御電圧Ｖｃが急激に下がることがない。したがって、出力電圧Ｖｏが急激に下がらないようにして演出効果に近い保護動作を行い、回路を保護することができる。
【００９６】
［その他］
【００９７】
整流部、コンバータ部の回路構成は、本実施形態に限定されない。例えば、コンバータ部は、２つのコンバータで構成されるものではなく、１つのコンバータで構成されるものであってもよいし、３つ以上のコンバータで構成されていてもよい。
【００９８】
検出電圧は、直流電圧に限定されるものではなく、例えば、整流電圧に比例したパルス電圧であってもよい。
【００９９】
制御パターンは、上述の各実施の形態で説明したものに限定されない。ＬＥＤ駆動装置に求められる仕様等、要求に応じて、所望の制御パターンを設定すればよい。また、検出電圧の変化状態によって、適切な制御パターンを設定するようにしてもよい。
【０１００】
パターン記憶部には、保護動作に関する第２の制御パターンとして、互いに制御態様が異なる複数の制御パターンが記憶されていてもよく、保護動作の実行時に、信号変換部がそれらの制御パターンのうち任意のものを選択し、選択した制御パターンに基づいて、第２の制御電圧を生成し出力すればよい。例えば、パターン記憶部には上述の第１の実施の形態〜第３の実施の形態のそれぞれに示されるような３種類の保護動作に関する制御パターンが記憶されており、保護動作が行われるとき、それらのうちいずれかの制御パターンで第２の制御電圧が生成されるようにすればよい。
【０１０１】
制御回路部には、コンバータ部から出力される検出電圧ではなく、整流部から出力される整流電圧そのものが入力されるように構成されていてもよい。その場合は、制御回路部において（例えば上述の信号変換部において）、整流電圧を制御回路部における制御に適した直流電圧又はパルス電圧に変換するようにすればよい。
【０１０２】
制御電圧は、直流電圧に限定されるものではなく、例えば、出力電圧として出力されるべき電圧に対応するデューティ信号であってもよい。例えば、出力されるべき電圧に比例するオンデューティのパルス電圧が制御電圧として出力されるようにしてもよい。
【０１０３】
上述の第１の実施の形態〜第３の実施の形態で説明した検出電圧の変化例は、上述のような急激に低下するようなものに限られない。
【０１０４】
演出動作と保護動作とを切り替える基準となる閾値（検出電圧と制御電圧との差に対応する所定値）は、使用する回路部品、光源などの特性に応じて、適切な値に設定すればよい。
【０１０５】
照明装置は、光源としてＬＥＤモジュールを用いるものに限定されず、他の種の光源を用いるものであってもよい。ＬＥＤ駆動装置は、少なくともその一部が集積回路（ＩＣ）を用いて構成されていてもよい。ＬＥＤ駆動装置の各構成要素は、少なくともその一部が、ハードウェアによる処理に代えてソフトウェアによる処理を行うことで機能するように構成されていてもよい。
【０１０６】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１０７】
１  ＬＥＤ駆動装置（光源駆動装置の一例）
２  位相調光器
３  整流部
４  コンバータ部
５  制御回路部（制御部の一例）
６  第１のコンバータ
７  第２のコンバータ
８  信号変換部
９  パターン記憶部
２０  ＬＥＤモジュール（光源の一例）
１００  照明装置
Ｖａ  整流電圧（第１の電圧の一例）
Ｖｂ  変換電圧
Ｖｃ  制御電圧（制御信号の一例）
Ｖｃ１  第１の制御電圧（第１の制御信号）
Ｖｃ２  第２の制御電圧（第２の制御信号）
Ｖｄ  検出電圧（第１の電圧に基づく電圧の一例）
Ｖｉｎ  交流電圧
Ｖｏ  出力電圧（第２の電圧の一例）
Ｖｓ  閾値
【図１】
2015011822.tif 000003
【図２】
2015011822.tif 000004
【図３】
2015011822.tif 000005
【図４】
2015011822.tif 000006
【図５】
2015011822.tif 000007
【図６】
2015011822.tif 000008
【図７】
2015011822.tif 000009